(57)【要約】【課題】ユーザに手間、時間をかけさせることなく、拡張機器の光軸と携帯電話の光軸との位置を合わせる。【解決手段】撮像機能を備える携帯電話１００は、携帯電話１００に装着可能な拡張機器１１０の光学系１１１が外部から取り付けられる光学系１０１を有する撮像部２０２と、撮像部２０２によって撮像された画像であって、拡張機器１１０における撮像部２０２によって撮像される画像の画角内に設けられている、携帯電話１００に対する拡張機器１１０の位置を調整するときに用いられる基準マーク２０３が写り込んでいる画像を表示する表示部２１８とを備える。【選択図】図３
2010034985.tif 000002
【特許請求の範囲】
【請求項１】
撮像機能を備える携帯電話であって、
前記携帯電話に装着可能な拡張機器の光学系が外部から取り付けられる光学系を有する撮像部と、
前記撮像部によって撮像された画像であって、前記拡張機器に設けられている、前記携帯電話に対する前記拡張機器の位置を調整するときに用いられる基準マークが写り込んでいる画像を表示する表示部と
を備える携帯電話。
【請求項２】
前記撮像部によって撮像された画像に基づいて、前記撮像部の前記光学系と前記拡張機器の前記光学系との位置ずれを検出する位置ずれ検出部
をさらに備える請求項１に記載の携帯電話。
【請求項３】
前記位置ずれ検出部によって検出された位置ずれに基づいて、当該位置ずれを補正するための補正値を算出する補正値算出部と、
前記補正値に基づいて、前記拡張機器の駆動部を制御して、前記拡張機器の前記光学系の位置を調整する位置調整部と
をさらに備える請求項２に記載の携帯電話。
【請求項４】
撮像部を備える携帯電話に装着可能な拡張機器であって、
前記撮像部に外部から取り付けられる光学系と、
前記撮像部によって撮像される画像の画角内に設けられ、前記携帯電話に対する前記拡張機器の位置を調整するときに用いられる基準マークと
を備える拡張機器。
【請求項５】
前記撮像部によって撮像された画像を前記携帯電話から取得する画像取得部と、
前記撮像部によって撮像された画像に基づいて、前記撮像部の前記光学系と前記拡張機器の前記光学系との位置ずれを検出する位置ずれ検出部と
をさらに備える請求項４に記載の拡張機器。
【請求項６】
前記位置ずれ検出部によって検出された位置ずれに基づいて、当該位置ずれを補正するための補正値を算出する補正値算出部と、
前記拡張機器の前記光学系を駆動する駆動部と、
前記補正値に基づいて、前記駆動部を制御して、前記拡張機器の前記光学系の位置を調整する位置調整部と
をさらに備える請求項５に記載の拡張機器。
【発明の詳細な説明】
【技術分野】
【０００１】
本発明は、画像を撮像する撮像部を有する携帯電話および携帯電話用の拡張機器に関する。
【背景技術】
【０００２】
撮像機能を備える携帯電話の外部から装着されることにより、携帯電話が有する光学系の機能を拡張する拡張機器がある。たとえば、特許文献１には、カメラ内蔵の携帯電話に着脱可能に固定することにより、縮小的画像しか撮像できないカメラで拡大的画像の撮像をおこなう拡張機器が考案されている。
【特許文献１】特開２００３−３１５９０５号公報
【発明の開示】
【発明が解決しようとする課題】
【０００３】
特許文献１では、拡張機器および携帯電話の一方に設けられた軸合わせ凹部と、他方に設けられた軸合わせ凸部とを嵌合させることで、双方の光軸を合わせる構成が用いられている。しかしながら、市販されている複数の種類の携帯電話のそれぞれに軸合わせ凹部または軸合わせ凸部を設けることはあらゆる観点からみて困難である。そのため、双方の光軸との位置を合わせるには細かい微調整が必要となり、その結果、ユーザ負担の増大を招く。
【課題を解決するための手段】
【０００４】
上記課題を解決するために、本発明の第１の形態においては、撮像機能を備える携帯電話１００であって、携帯電話１００に装着可能な拡張機器１１０の光学系１１１が外部から取り付けられる光学系１０１を有する撮像部２０２と、撮像部２０２によって撮像された画像であって、拡張機器１１０における撮像部２０２によって撮像される画像の画角内に設けられている、携帯電話１００に対する拡張機器１１０の位置を調整するときに用いられる基準マーク２０３が写り込んでいる画像を表示する表示部２１８とを備える。
【０００５】
なお、上記の発明の概要は、本発明の必要な特徴の全てを列挙したものではなく、これらの特徴群のサブコンビネーションもまた、発明となりうる。
【発明の効果】
【０００６】
本発明によれば、携帯電話に撮像される画像に写り込む基準マークを拡張機器に設けたことで、拡張機器の光軸と携帯電話の光軸との位置を合わせにおいて、ユーザへの負担を軽減できる。
【発明を実施するための最良の形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１および図２は、実施形態に係る携帯電話１００および拡張機器１１０の外観を示す。図１、拡張機器１１０が携帯電話１００に装着されていないときの、携帯電話１００および拡張機器１１０の外観を示す。図２は、拡張機器１１０が携帯電話１００に装着されているときの、携帯電話１００および拡張機器１１０の側面を示す。携帯電話１００は、被写体の画像を撮像する撮像機能を備える。携帯電話１００は、被写体の画像を撮像するための光学系１０１を備える。光学系１０１には、拡張機器１１０の光学系１１１が外部から取り付けられる。
【０００９】
また、携帯電話１００は、通信Ｉ／Ｆ１０２を備える。通信Ｉ／Ｆ１０２は、拡張機器１１０に対して各種情報を送受信するための通信を制御する。図１および図２に示す例では、通信Ｉ／Ｆ１０２は、通信ケーブルのコネクタが接続されるスロットを有し、拡張機器１１０との有線通信を制御する。通信Ｉ／Ｆ１０２は、赤外線、Ｂｌｕｅｔｏｏｔｈ（登録商標）などの無線通信機能を有し、拡張機器１１０との無線通信を制御してもよい。拡張機器１１０は、携帯電話１００に装着することができる。
【００１０】
拡張機器１１０は、光学系１１１、通信Ｉ／Ｆ１１２、装着部材１１３、スピーカ１１４、ＬＥＤ１１５、およびスライド部材１１６を備える。たとえば、拡張機器１１０は、携帯電話１００による接写用の機器である。光学系１１１は、携帯電話１００が備える光学系１０１に外部から取り付けられる。これにより、光学系１１１は、携帯電話１００が備える光学系１０１の機能を拡張する。光学系１１１は、接写レンズに限らず、例えば、望遠レンズ、広角レンズ、フィルタなどであってもよい。光学系１１１は、拡張機器１１０の筐体に対して一体に設けられていてもよく、拡張機器１１０の筐体に対して別体に設けられていてもよい。
【００１１】
通信Ｉ／Ｆ１１２は、携帯電話１００に対して各種情報を送受信するための通信を制御する。図１および図２に示す例では、通信Ｉ／Ｆ１１２は、コネクタを含む通信ケーブルを有し、携帯電話１００との有線通信を制御する。通信Ｉ／Ｆ１１２は、赤外線、Ｂｌｕｅｔｏｏｔｈなどの無線通信機能を有し、携帯電話１００との無線通信を制御してもよい。装着部材１１３は、携帯電話１００の筐体の両側面部を把持することにより、携帯電話１００に対して、拡張機器１１０を固定させる。装着部材１１３は、あらゆる形状の携帯電話１００に装着できるように、当該装着部材１１３の形状および大きさを調整する調整機構を有してもよい。
【００１２】
図３は、携帯電話１００および拡張機器１１０の機能構成の一例を示す。携帯電話１００は、撮像部２０２、位置ずれ検出部２０４、補正値算出部２０６、位置調整部２０８、通知部２１２、表示部２１８をさらに備える。拡張機器１１０は、駆動部２２０および基準マーク２０３をさらに備える。基準マーク２０３は、拡張機器１１０における撮像部２０２によって撮像される画像の画角内に設けられ、携帯電話１００に対する拡張機器１１０の位置を調整するときに用いられる。
【００１３】
撮像部２０２は、光学系１０１およびＣＣＤ、ＣＭＯＳなどの撮像素子を有し、光学系１０１からの光を撮像素子で光電変換することにより画像を生成する。表示部２１８は、撮像部２０２によって撮像された画像であって、拡張機器１１０における撮像部２０２によって撮像される画像の画角内に設けられている基準マーク２０３が写り込んでいる画像を表示する。
【００１４】
位置ずれ検出部２０４は、撮像部２０２によって撮像された画像に基づいて、光学系１０１の光軸および光学系１１１の光軸の位置関係を検出し、この位置関係に基づいて、撮像部２０２の光学系１０１の光軸と拡張機器１１０の光学系１１１の光軸との位置ずれ（具体的には、位置ずれの方向、大きさ、またはその両方）を検出する。位置関係の検出は、拡張機器１１０に印刷、刻印、塗布、または貼付されている基準マーク２０３、文字、図形などに基づいて行なわれる。
【００１５】
位置ずれ検出部２０４は、撮像部２０２によって撮像された画像に写し出されている、光学系１１１または光学系１１１以外の部分の形状、大きさなどに基づいて、光学系１０１の光軸と光学系１１１の光軸との位置ずれを検出する。たとえば、位置ずれ検出部２０４は、光学系１１１の外周部分の形状が、左右方向および上下方向の少なくとも一方で非対称の場合、光学系１０１の光軸と光学系１１１の光軸とがずれていると判断する。
【００１６】
通知部２１２は、位置ずれ検出部２０４によって検出された位置ずれ（具体的には、位置ずれの方向、大きさ、またはその両方）をユーザに通知する。通知部２１２は、当該通知部２１２が有する表示制御部２１４の制御により、位置ずれをユーザに通知するための通知情報を、表示部２１８に表示させてもよい。なお、通知部２１２は、ユーザに対して位置ずれをユーザに通知する手段を有していれば足り、例えば、携帯電話１００が備える表示ランプを点灯させたり、当該通知部２１２が有する音声出力制御部２１６の制御により、携帯電話１００が備えるスピーカ１１４に出力させてもよい。
【００１７】
補正値算出部２０６は、位置ずれ検出部２０４によって検出された位置ずれ（具体的には、位置ずれの方向、大きさ、またはその両方）に基づいて、当該位置ずれを補正するための補正値を算出する。
【００１８】
具体的には、位置調整部２０８は、補正値算出部２０６によって算出された補正値に基づいて、上記補正値に基づく、拡張機器１１０の光学系１１１の位置を調整するための制御信号（例えば、光学系１１１の移動方向および移動量を示す制御信号）を、拡張機器１１０の駆動部２２０へ出力する。
【００１９】
駆動部２２０は、駆動モータを有し、位置調整部２０８から出力された制御信号に示されている移動方向に移動量に基づいて、当該駆動モータを駆動することにより、拡張機器１１０の光学系１１１を駆動させる。なお、駆動部２２０は、当該駆動部２２０が駆動するための電気エネルギーを、当該駆動部２２０が有する内蔵電池から取得してもよく、携帯電話１００から取得してもよい。
【００２０】
たとえば、駆動部２２０は、スライド部材１１６を、装着部材１１３またはスライド部材１１６に対して、左右方向にスライドさせる。これにより、駆動部２２０は、拡張機器１１０の光学系１１１を上下方向および左右方向に移動させることができる。光学系１１１の上下方向および左右方向への移動は、拡張機器１１０の筐体を、装着部材１１３に固定されているスライド部材１１６に対して、上下方向および左右方向にスライドさせてもよく、スライド部材１１６を軸に回転させてもよい。
【００２１】
図４は、拡張機器１１０の機能構成の他の一例を示す。拡張機器１１０は、画像取得部２３０、位置ずれ検出部２０４、補正値算出部２０６、位置調整部２０８、および通知部２１２をさらに備える。画像取得部２３０は、通信Ｉ／Ｆ１１２を介して、撮像部２０２によって撮像された画像を携帯電話１００から取得する。位置ずれ検出部２０４、補正値算出部２０６、位置調整部２０８、および通知部２１２は、図３に示した携帯電話１００が備える位置ずれ検出部２０４、補正値算出部２０６、位置調整部２０８、および通知部２１２と同様である。
【００２２】
このように、本実施形態によれば、ユーザが拡張機器の光軸と携帯電話の光軸との位置を合わせるときに、携帯電話１００に対する拡張機器１１０の位置を調整するときに用いられる基準マーク２０３が写り込んでいる画像を表示部２１８に表示することができるので、ユーザへの負担を軽減できる。
【００２３】
また、本実施形態によれば、撮像部２０２の光学系１０１と拡張機器１１０の光学系１１１との位置ずれを検出し、検出された位置ずれを通知することができる。これにより、ユーザは、光学系１０１と光学系１１１との位置ずれを容易に把握できる。
【００２４】
また、本実施形態によれば、撮像部２０２の光学系１０１と拡張機器１１０の光学系１１１との位置ずれを検出し、検出された位置ずれを自動的に調整することができる。これにより、ユーザに手間、時間をかけさせることなく、光学系１０１と光学系１１１との位置を合わせることができる。
【００２５】
また、本実施形態によれば、撮像部２０２によって撮像された画像に基づいて、光学系１０１と光学系１１１との位置ずれを検出しているので、携帯電話１００の形状、および携帯電話１００における光学系１０１の位置を問わず、光学系１０１と光学系１１１との位置を合わせることができる。
【００２６】
図５および図６は、撮像部２０２によって撮像された画像の一例を示す。図５に示す画像５００には、拡張機器１１０の光学系１１１が写し出されており、光学系１１１の中心に印刷されている基準マーク２０３の一例である光軸識別情報５０２が写し出されている。また、画像５００には、携帯電話１００の光学系１０１の横方向の中心線５１２が写し出されている。また、画像５００には、携帯電話１００の光学系１０１の縦方向の中心線５１４が写し出されている。また、図６に示す画像６００には、画像５００と同様に、光学系１１１、光軸識別情報５０２、中心線５１２，５１４が写し出されている。
【００２７】
位置ずれ検出部２０４は、光軸識別情報５０２の位置と、中心線５１２，５１４の交点（すなわち、画像５００，６００の中心点）の位置との位置関係に基づいて、光学系１０１の光軸と光学系１１１の光軸との位置ずれを検出する。
【００２８】
たとえば、画像５００（図５）に示すように、光軸識別情報５０２の位置と、画像５００の中心点の位置とが重なり合っている場合、位置ずれ検出部２０４は、光学系１０１の光軸と光学系１１１の光軸との位置がずれていないと判断される。一方、画像６００（図６）に示すように、これらの位置が重なり合っていない場合、光学系１０１の光軸と光学系１１１の光軸との位置がずれていると判断される。この場合、位置ずれ検出部２０４は、光軸識別情報５０２の位置と、中心点の位置との差分（位置ずれの方向および大きさ）を算出し、この差分に基づいてズレの有無を判断する。
【００２９】
また、たとえば、画像５００（図５）に示すように、光学系１１１の外周部分の形状が、左右方向および上下方向で対称となっている場合、光学系１０１の光軸と光学系１１１の光軸との位置がずれていないと判断される。一方、画像６００（図６）に示すように、光学系１１１の外周部分の形状が、左右方向および上下方向で非対称となっている場合、光学系１０１の光軸と光学系１１１の光軸との位置がずれていると判断される。この場合、位置ずれ検出部２０４は、光学系１１１の外周部分の形状、光学系１１１以外の部分の面積等のパラメータを算出し、このパラメータに基づいてズレの有無を判断する。
【００３０】
図７は、通知部２１２によって出力された通知情報の一例であって、携帯電話１００が備える表示部２１８に表示される、表示画面７００である。表示画面７００には、撮像部２０２によって撮像された画像である画像７１０が表示されている。表示画面７００には、携帯電話１００の光学系１０１と拡張機器１１０の光学系１１１との位置ずれの方向および位置ずれの量を示す矢印７１１が、画像７１０に重ねて表示されている。
【００３１】
また、表示画面７００には、携帯電話１００の光学系１０１と拡張機器１１０の光学系１１１との位置ずれの有無を通知する通知情報（同図内の「拡張機器の位置を合わせてください。」と、位置ずれの方向および量を通知する通知情報（同図内の「左へおよそ４ｍｍ」および「下へおよそ４ｍｍ」）とが表示されている。
【００３２】
ユーザは、表示画面７００に表示されている画像７１０、矢印７１１、および通知情報に基づいて、携帯電話１００の光学系１０１と拡張機器１１０の光学系１１１との位置がずれていることを、容易に把握することができる。位置調整部２０８は、表示画面７００に表示されている画像および通知情報に基づいて駆動部２２０を制御することにより、拡張機器１１０の光学系１１１の位置を自動的に調整してもよい。
【００３３】
なお、拡張機器１１０が表示部２１８を備えている場合、上記した画像７１０、矢印７１１、および通知情報を、拡張機器１１０が備える表示部２１８に表示させてもよい。また、上記の通知情報は、文字等の画像情報に限定されず、音声情報であってもよく、例えば、携帯電話１００または拡張機器１１０が備えるスピーカから通知情報を音声出力してもよい。
【００３４】
図８および図９は、拡張機器１１０に設けられている基準マーク２０３の一例を示す。図８に示す画像８００および図９に示す画像９００は、撮像部２０２によって撮像された画像を示す。拡張機器１１０は、被写体からの光が光学系１１１に入射されるように、拡張機器１１０の筐体の被写体側の面に形成されている開口部をさらに備えている。画像８００には、開口部８１０および基準マーク８２０が写し出されており、画像９００には、開口部８１０および基準マーク９１０が写し出されている。
【００３５】
携帯電話１００は、画像８００（または画像９００）を、当該携帯電話１００が備える表示部２１８に表示するが、拡張機器１１０が表示部２１８を備えている場合、画像８００（または画像９００）を、当該表示部２１８に表示してもよい。この場合、ユーザは、当該表示部２１８に写し出されている画像８００（または画像９００）を見ながら、基準マーク８２０（または基準マーク９１０）を基準として、携帯電話１００に対する拡張機器１１０の位置を調整することもできる。
【００３６】
基準マーク８２０，９１０は、画像８００，９００に写し出される位置合わせの基準となるものであれば形状・形態に限定はない。形状としては、たとえば、線、文字、記号、図形などがあり、形態としては、たとえば、プリント、貼付、または刻印されたものがある。
【００３７】
また、基準マーク８２０，９１０は、画像８００，９００の画角内であればどのような位置に設けられていてもよく、たとえば、開口部８１０が形成されている面の裏側に設けられていてもよい。また、基準マーク８２０，９１０は、拡張機器１１０の光軸上に配置されたアクリル板などの透明な板に設けられていてもよい。
【００３８】
図１０は、携帯電話１００のハードウェア構成の一例を示す。なお、拡張機器１１０のハードウェア構成は、携帯電話１００と同様であってもよい。
【００３９】
携帯電話１００は、ホスト・コントローラ１５８２により相互に接続されるＣＰＵ１５０５、ＲＡＭ１５２０、グラフィック・コントローラ１５７５、および表示部２１８を備える。また、携帯電話１００は、Ｉ／Ｏ（入出力）コントローラ１５８４によりホスト・コントローラ１５８２に接続される通信Ｉ／Ｆ１０２、ＲＯＭ１５１０、およびメモリカードドライブ１５５０を備える。
【００４０】
ＣＰＵ１５０５は、ＲＯＭ１５１０およびＲＡＭ１５２０に格納されたプログラムに基づいて動作して、各部を制御する。グラフィック・コントローラ１５７５は、ＲＡＭ１５２０等から取得した画像データを、表示部２１８上に表示させる。通信Ｉ／Ｆ１０２は、ネットワークを介して外部と通信する。ＲＯＭ１５１０は、ＣＰＵ１５０５が使用するプログラムおよびデータを格納する。メモリカードドライブ１５５０は、メモリカード１５９０に対して、プログラムまたはデータの読み取りまたは書き込みをおこなう。メモリカードドライブ１５５０は、読み取ったプログラムまたはデータを、ＲＡＭ１５２０およびＲＯＭ１５１０に送信する。
【００４１】
ＣＰＵ１５０５は、ＲＯＭ１５１０およびＲＡＭ１５２０に格納されているプログラムを実行することにより、携帯電話１００を、位置ずれ検出部２０４、補正値算出部２０６、位置調整部２０８、通知部２１２、表示制御部２１４、音声出力制御部２１６として機能させる。ＲＯＭ１５１０およびＲＡＭ１５２０に格納されているプログラムは、メモリカード１５９０等の記録媒体に格納されて提供されてもよく、外部の情報処理装置からネットワークを介して提供されてもよい。
【００４２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４３】
【図１】実施形態に係る携帯電話１００および拡張機器１１０の外観を示す。
【図２】実施形態に係る携帯電話１００および拡張機器１１０の外観を示す。
【図３】携帯電話１００および拡張機器１１０の機能構成の一例を示す。
【図４】拡張機器１１０の機能構成の他の一例を示す。
【図５】撮像部２０２によって撮像された画像の一例を示す。
【図６】撮像部２０２によって撮像された画像の一例を示す。
【図７】通知部２１２によって出力された通知情報の一例を示す。
【図８】拡張機器１１０に設けられている基準マーク２０３の一例を示す。
【図９】拡張機器１１０に設けられている基準マーク２０３の一例を示す。
【図１０】携帯電話１００のハードウェア構成の一例を示す。
【符号の説明】
【００４４】
１００  携帯電話
１０１  光学系
１０２  通信Ｉ／Ｆ
１１０  拡張機器
１１１  光学系
１１２  通信Ｉ／Ｆ
１１３  装着部材
１１４  スピーカ
１１５  ＬＥＤ
１１６  スライド部材
２０２  撮像部
２０３  基準マーク
２０４  位置ずれ検出部
２０６  補正値算出部
２０８  位置調整部
２１２  通知部
２１４  表示制御部
２１６  音声出力制御部
２１８  表示部
２２０  駆動部
２３０  画像取得部
５００  画像
５０２  光軸識別情報
５１２  中心線
５１４  中心線
６００  画像
７００  表示画面
７１０  画像
７１１  矢印
８００  画像
８１０  開口部
８２０  基準マーク
９００  画像
９１０  基準マーク
１５０５  ＣＰＵ
１５１０  ＲＯＭ
１５２０  ＲＡＭ
１５５０  メモリカードドライブ
１５７５  グラフィック・コントローラ
１５８２  ホスト・コントローラ
１５８４  Ｉ／Ｏコントローラ
１５９０  メモリカード
【図１】
2010034985.tif 000003
【図２】
2010034985.tif 000004
【図３】
2010034985.tif 000005
【図４】
2010034985.tif 000006
【図５】
2010034985.tif 000007
【図６】
2010034985.tif 000008
【図７】
2010034985.tif 000009
【図８】
2010034985.tif 000010
【図９】
2010034985.tif 000011
【図１０】
2010034985.tif 000012